(57)【特許請求の範囲】
【請求項１】
オーディオビジュアル通信ネットワークに接続する手段と通信する回路を備えるオーディオビジュアル送受信マルチメディア装置であって、
ソース装置により供給される供給電圧を伝送する少なくとも１つの導体を備える前記ソース装置と通信するバスのコネクタと、
前記コネクタに接続されており、前記供給電圧の有無を検出する手段とを備え、
前記検出手段は、前記供給電圧の検出に応じて、前記通信回路への検出信号を発生し、
前記通信回路は、前記通信回路が最小のアクティブ機能を有するスタンバイモードと呼ばれる第１の動作モードから、前記通信回路が前記コネクタと前記オーディオビジュアル通信ネットワークの間でその通信機能を有するウェイクアップモードと呼ばれる第２の動作モードにスイッチング回路を介して前記マルチメディア装置をスイッチするために前記検出手段に接続され、前記バスの供給電圧の発生に応じてスイッチングが行われる、
ことを特徴とするオーディオビジュアル送受信マルチメディア装置。
【請求項２】
前記コネクタは、ＵＳＢタイプのクライアントコネクタである、
ことを特徴とする請求項１記載のオーディオビジュアル送受信マルチメディア装置。
【請求項３】
前記スイッチング回路は、前記マルチメディア装置を制御する手段、及び前記通信回路のウェイクアップのシーケンスをなす前記ウェイクアップの動作をトリガするためのプログラムからなる第１のマイクロプロセッサにより構成される、
ことを特徴とする請求項１又は２記載のオーディオビジュアル送受信マルチメディア装置。
【請求項４】
前記制御手段は、前記マルチメディア装置のコントロールキーパッド及び／又はリモートコントロールレシーバであり、前記制御手段は、前記第１のマイクロプロセッサの割り込み入力に接続される、
ことを特徴とする請求項３記載のオーディオビジュアル送受信マルチメディア装置。
【請求項５】
前記検出手段は、前記検出信号を受信する前記第１のマイクロプロセッサの割り込み入力に接続される、
ことを特徴とする請求項３又は４記載のオーディオビジュアル送受信マルチメディア装置。
【請求項６】
前記第１のマイクロプロセッサは、前記マルチメディア装置の汎用供給回路に接続され、前記検出信号の発生に応じて前記供給回路を作動する、
ことを特徴とする請求項１乃至５のいずれか記載のオーディオビジュアル送受信マルチメディア装置。
【請求項７】
前記検出手段は、前記第１のマイクロプロセッサの入力のうちの１つに関する電圧を発生する電子的な遮断機から構成される、
ことを特徴とする請求項５記載のオーディオビジュアル送受信マルチメディア装置。
【請求項８】
前記装置は、デジタルテレビジョンデコーダを備え、前記通信回路は、双方向ケーブルネットワークへの接続のための回路を備える、
ことを特徴とする請求項１乃至７のいずれか記載のオーディオビジュアル送受信マルチメディア装置。
【請求項９】
前記装置は、前記デジタルデコーダのメインプロセッサを前記デジタルデコーダのリターンチャネルプロセッサに接続する前記デジタルデコーダの内部バスに接続されるコネクタのタイプに適合されるインタフェース回路を備え、
前記リターンチャネルプロセッサは、インタフェース回路により、前記デジタルデコーダを前記オーディオビジュアルオペレータのサーバのサービスに接続する前記双方向ケーブルネットワークへの連結のためのケーブルに接続される、
ことを特徴とする請求項８記載のオーディオビジュアル送受信マルチメディア装置。
【請求項１０】
前記装置は、前記オーディオビジュアルオペレータのサーバのサービスを介したインターネットへの接続をトリガする手段を備える、
ことを特徴とする請求項１乃至９のいずれか記載のオーディオビジュアル送受信マルチメディア装置。
【発明の詳細な説明】
【０００１】
［発明の分野］
本発明は、たとえば、パーソナルコンピュータに接続されるオーディオビジュアル送信受信マルチメディア装置に関する。本オーディオビジュアル送信受信マルチメディア装置は、たとえば、デコーダ、又は双方向のケーブルネットワークに接続することができる他の装置から構成することができる。
【０００２】
［発明の背景］
ケーブルテレビジョンネットワーク向けの殆どのデジタルデコーダは、リターンパスが設けられている。このリターンパスは、復号されたオーディオビデオプログラムのユーザとテレビジョンネットワークのオペレータの間での対話性の機能のために使用される。
【０００３】
現行の欧州規格に準拠するために、現代のデジタルデコーダは、低消費スタンバイモードを示す。この状態は、マルチメディア装置のウェイクアップに不可欠な機能のみが電力投入されたときに達成される。たとえば、スタンバイモードにあるデコーダは、ビデオレコーダでテレビ番組の記録を実行するために、ウェイクアップされることが可能でなければならない。
【０００４】
このウェイクアップ機能は、デコーダのリモートコントロールを介するか、或いはデコーダのフロントパネルのキーパッドを介して作動される。リモートコントロールにより送信され、デコーダのフロントパネルの光受信機により受信される信号、又はキーパッドのキーの作動は、デコーダのキーパッドプロセッサでの割り込みを引き起こす。これにより、このプロセッサのみが永続的にアクティブのままとなり、これら２つのイベントのうちの１つにより引き起こされる割り込みがモニタされる。
【０００５】
かかるプロセッサがかかるイベントを検出したとき、プロセッサは、数秒のシーケンスを必要とするデコーダのウェイクアップモードをトリガする。ウェイクアップを可能にする装置が設けられていない場合、かかるデコーダは、ＰＣとオペレータとの間の通信インタフェースとして使用することができない。
【０００６】
本発明の第１の目的は、たとえば、デジタルデコーダのようなオーディオビジュアル送信受信マルチメディア装置に、たとえば、スタンバイモードといった減少された動作モードから通常の動作モードに進むことを可能にする必須の装置を提供し、特に、たとえばコンピュータといったソース装置のインターネットへの接続を可能にすることである。
【０００７】
この目的は、オーディオビジュアル送信受信マルチメディア装置が以下の構成を有するという事実を通して達成される。
オーディオビジュアル通信ネットワークに接続する手段と通信する回路。ソース装置により提供される供給電圧を伝送するための少なくとも１つの導体（VBUS）を備えるソース装置と通信するためのバスのコネクタ。供給電圧の有無を検出する手段。
【０００８】
検出手段は、該通信回路への供給電圧の発生に関する検出信号を発生する。通信回路は、該通信回路が最小のアクティブ機能を有するスタンバイモードと呼ばれる第１の動作モードから、通信回路が該コネクタとオーディオビジュアルネットワークの間でその通信機能を有するウェイクアップと呼ばれる第２の動作モードに、スイッチング回路を介してマルチメディア装置をスイッチするように、該検出手段に接続される。これにより、バスの供給電圧の発生に応じて、作動されるスイッチングが行われる。
【０００９】
別の特徴によれば、コネクタは、ＵＳＢ（Universal Serial Bus）クライアントコネクタ１１である。
別の特徴によれば、スイッチング回路は、マルチメディア装置を制御する手段である第１のマイクロプロセッサ、及び通信回路のウェイクアップのシーケンスをなすウェイクアップ動作をトリガするためのプログラムにより構成される。
【００１０】
別の特徴によれば、制御手段は、コントロールキーパッド及び／又は該マルチメディア装置のリモートコントロールレシーバであり、該制御手段は、第１のマイクロプロセッサの割り込み入力に接続される。
別の特徴によれば、検出手段は、検出信号を受信する第１のマイクロプロセッサの割り込み入力に接続される。
【００１１】
別の特徴によれば、第１のマイクロプロセッサは、検出信号の発生に応答して該供給回路を作動するように、マルチメディア装置の汎用の供給回路に接続される。
【００１２】
別の特徴によれば、検出手段は、第１のマイクロプロセッサの入力のうちの１つに関する電圧を発生する電子的な遮断機から構成される。
別の特徴によれば、該装置は、デジタルテレビジョンデコーダを備えており、該通信回路は、双方向性のケーブルネットワークへの接続のための回路を備えている。
【００１３】
別の特徴によれば、該装置は、デコーダのメインプロセッサをデジタルデコーダのリターンチャネルプロセッサに接続するデジタルデコーダの内部バスに接続されるコネクタのタイプの適合されるインタフェース回路を備えている。リターンチャネルプロセッサは、インタフェース回路により、デジタルデコーダをオーディオビジュアルオペレータのサーバのサービスに接続する双方向性のケーブルネットワークへの接続のためのケーブルに接続される。
【００１４】
別の特徴によれば、該装置は、オーディオビジュアルオペレータのサーバのサービスを介したインターネットへの接続をトリガするための手段を備えている。  本発明の他の特徴及び利点は、以下に添付図面を参照して与えられる発明の実施の形態を読むことで更に明らかとなるであろう。
【００１５】
［発明の実施の形態］
本発明の限定するものではない実施の形態は、図１及び図２を参照して説明される。
【００１６】
携帯用又は固定のパーソナルコンピュータ１７は、ＵＳＢ（Universal Serial Bus）タイプのケーブルにより、デコーダ２０の一部を構成しているＵＳＢコネクタ１１に接続されている。コンピュータ２０は、本実施の形態では、ＵＳＢバスのマスターの役割を果たす。コンピュータ２０は、本実施の形態では、典型的なソース装置として使用されるが、インターネットネットワークへの接続を要求する任意の他の電子装置を使用することもできる。
【００１７】
デコーダ２０は、減少された動作モードを有する典型的なマルチメディア装置として与えられている。しかし、本発明は、オーディオビジュアル送信受信向けの任意のタイプのマルチメディア装置に適用することができる。デコーダ２０は、オペレータのサーバ２１のサービスを介して、オーディオビジュアルオペレータのサーバセンタのサービスを通して、インターネットへの接続を可能にするデジタルテレビジョン１４のための特定のケーブルに接続されている。
【００１８】
かかるシステムの利点は、以下の点を可能にすることである。
一方で、ＵＳＢケーブルを介してパーソナルコンピュータとデコーダの間で１２メガバイトのビットレートによる高速リンク。
他方で、デコーダをオペレータのサーバ２１のサービスに接続するケーブル１４を介して、インターネットネットワークへのコンピュータの高いビットレートリンク（毎秒数メガビット）。
【００１９】
このリンクは、与えられた例では、デコーダのマルチメディア装置の僅かな変更により可能となる。この僅かな変更は、デコーダに組み込まれる電圧VBUS（ずなわち、マスターにより発生されるＵＳＢバス供給電圧）を検出するために、その入力端子（VBUS）が回路１に接続されるＵＳＢコネクタ１１からなる。
【００２０】
この回路１は、ＵＳＢインタフェース回路９に属し、該インタフェース回路９は、入力端子（DATA+，DATA-）及びＵＳＢコネクタ１１のアースに接続される。検出回路１の出力は、リンク２により、デコーダのキーパッド及びフロントパネルのマイクロプロセッサであるマイクロプロセッサ３の割り込み入力に接続される。このマイクロプロセッサは、リンク４により、メイン供給回路５に接続され、１２Ｃバス１２により、メインプロセッサ７に接続される。メイン供給回路は、メインマイクロプロセッサ７に電力を供給する・
このマイクロプロセッサ３は、デコーダがスタンバイモードに再び入ったときであっても、デコーダにおいて永続的にアクティブにされる唯一のプロセッサである。デコーダのソケットは、電力供給ネットワークに接続されるだけで充分である。特に、スタンバイモードでは、このマイクロプロセッサのみがその入力を永続的にモニタして、割り込みとして処理される信号を検出する。
【００２１】
この割り込みは、マイクロプロセッサに関して割り込みをなすデコーダのフロントパネルのキーパッドから供給される信号、又ユーザによりリモートコントロールを使用したコマンドの送信に関連する、リンク１８によりマイクロプロセッサ３に接続される光受信機１９により生成される信号のいずれかを表わしている。
【００２２】
本発明によれば、ＵＳＢコネクタのプラグインの検出に関連する割り込みを検出するために使用される。
別の変形例では、マイクロプロセッサは、そのデジタル入力を永続的にモニタして、入力の状態の変化を検出し、望ましい処理を実行する。
【００２３】
動作の間、そのマイクロプロセッサ３を介して割り込みを検出したとき、デコーダは、デコーダアセンブリの主電源に信号を送出し、次いで、該主電源は、メインプロセッサ７に電力を供給し（リンク６）、要求された機能のために必要なデコーダ機能をウェイクアップする。
【００２４】
この機能は、ビデオレコーダでのＴＶ番組の記録、テレビジョンでのデコーダにより受信されたチャネルの表示、デコーダのモデムとしての使用を可能にする。受信されたチャネルの記録又は表示といったこれらの用途について、メインプロセッサ７は、デジタルのオーディオ及びビデオ信号の伝送についてバス１５に通信し、デコーダの入力／出力ケーブル１４に分岐ケーブル１４’により接続されるデコーダのＲＦ受信ステージ１３に通信する。
【００２５】
プロセッサ３により受信されるコマンドのタイプに依存して、フロントパネルプロセッサ３をメインプロセッサ７に接続する１２Ｃバスのリンク１２を介して、コマンドが送出される。メインプロセッサ７は、情報を処理し、メインプロセッサ７をリターンチャネルプロセッサ１０に接続するプロセッサバス８を介して、プロセッサ１０に通信する。
【００２６】
このプロセッサ１０は、出力インタフェースによりケーブル１４に接続され、デジタルデータの送信及び受信により、オペレータとユーザの間の対話を可能にする。キーボード又はフロントパネルマイクロプロセッサ３は、そのプロセッサバス３１を介して、ライン１８に現れる割込みを管理するプログラムモジュール３０を含むメモリと接続され、これら割り込みの機能として、デコーダアセンブリのウェイクアップをトリガする。
【００２７】
本発明の典型的な実施の形態は、検出ユニット１に併せて、ＶＢＵＳ電圧の検出ユニット１の出力でライン２を加えることからなる。このラインは、マイクロプロセッサ３の高レベルの割込み入力に送出される。これにより、ライン２がプロセッサバス８を通して、リターンチャネルのマイクロプロセッサ１０に通信することができるように、この割込みの処理を実行し、はじめに、ライン４を介して、デコーダの主電源５をウェイクアップするための信号の送出、次いで、１２Ｃバス１２を介して、コマンドのメインプロセッサ７への送出を実行するプログラムモジュール３２の実行がトリガされ、ライン２はＵＳＢコネクタ１１のインタフェースカード９から供給されるそのバス８の信号の到着を待ち受けるスタンバイにされる。
【００２８】
このように、インタフェース回路９の役割は、パーソナルコンピュータ１７とインタフェース回路９の間でＵＳＢ信号を交換するためのプロトコルを、２つのリターンチャネルプロセッサ１０とメインプロセッサ７の間のバス８を介した通信を適合するためのプロトコルに変換することである。
【００２９】
図１に見られるように、ＵＳＢコネクタのＶＢＵＳ端子は、共通のポイント１００に接続されており、この共通のポイントは、一方で抵抗１０１を介してアースに接続されており、他方でＰＮＰトランジスタ１０６のベースに接続されている。ＰＮＰトランジスタのコレクタは、アースに接続されており、そのエミッタは、共通のポイント１０７及び抵抗１０５に接続されている。抵抗１０５の第２の端は、ＶＣＣ電源に接続されている。
【００３０】
最後の共通のポイント１０７は、ライン２のＶＢＵＳ電圧の有無を検出するための信号を伝送する。ライン２は、フロントパネルのマイクロプロセッサの高レベルの割込み入力に接続される。図２の他の構成要素は、図１の構成要素と同じであり、同じ参照符号により示される。
【００３１】
ＶＢＵＳ電圧は、この構成要素に印加されたとき、及び４．７５〜５．２５ボルトの電圧を達成するとき、パーソナルコンピュータをスイッチオン及びウェイクアップするＵＳＢケーブルがデコーダのコネクタ１１に接続されており、ＢＣ８５７Ｂトランジスタ１０６はオンし、リンク２の検出信号がゼロ論理レベルに対応するゼロ電位を有することを意味し、高レベルタイプの割込みのマイクロプロセッサのレベルでの処理をトリガする。
【００３２】
この割込みは、ネットワークケーブル１４とＵＳＢケーブル１６の間のインタフェースに作用する回路の動作のために必要なデコーダの一部のプログラムモジュール３２によりウェイクアップが引き起こされる。コンピュータ１７とインターネットネットワーク間のリンクでは、デコーダのインタフェース部分９，１０のパーソナルコンピュータ１７に関してスレーブモードで動作する。これは、リモートコントロールから供給されるインタラクティブテレビジョンの機能に関して、制御信号がメインプロセッサ７により瞬間的に不作動にされ、プロセッサ７により制御されるディスプレイがユーザに対し、対話機能がインターネットへの後続する接続で割り込まれたことを示すか、マイクロプロセッサ７は、パーソナルコンピュータ１７から供給される信号とこれらの信号の多重化を実行することを示す。
【００３３】
後者の場合、ＵＳＢインタフェース９は、識別子をＵＳＢバスから供給される信号に組込み、同様に、メインプロセッサ７は、異なる識別子をリモートコントロールから供給される信号に組込む。これにより、オペレータのサービス２１は、パーソナルコンピュータ１７から供給される信号と、インターネットリンク向けに意図される信号、リモートコントロールから伝送され、供給されるサービスの変更を生成するための信号の間で区別することが可能となる。
【００３４】
したがって、コンピュータは、自動的にＵＳＢバスの電圧の作動により、デコーダを自動的にウェイクアップすし、これにより、ケーブルネットワークを介しての通信を準備することが可能となる。
【００３５】
なお、本発明の適用の特許請求された分野から逸脱することなしに、本発明は様々な他の特定の形式で実施の形態が可能であることは、当業者には明らかであろう。結果的に、上述した実施の形態は、例示するものとして考慮されるべきであり、特許請求の範囲により定義される分野において変更される場合がある。
【図面の簡単な説明】
【図１】  本発明によるウェイクアップ装置を示すブロック図である。
【図２】  ウェイクアップ装置のデコーダへの組込み、このデコーダと一方でパーソナルコンピュータとの通信、他方でオーディオビジュアル送信ブロードキャストネットワークのケーブルとの通信を示すブロック図である。
【図１】
0004711596.tif 000002
【図２】
0004711596.tif 000003